【手続補正書】
【提出日】平成24年8月27日(2012.8.27)
【手続補正１】
【補正対象書類名】明細書
【補正対象項目名】０００７
【補正方法】変更
【補正の内容】
【０００７】
上記目的を達成するために、本発明の撮像装置は、複数の焦点検出エリアを有し、該複数の焦点検出エリアそれぞれの焦点検出を行う焦点検出手段と、
複数の測光エリアを有し、該複数の測光エリアそれぞれの測光値を検出する測光手段と、
前記複数の測光エリアに対する重み付け係数を決定する決定手段と、
前記決定手段により決定された前記複数の測光エリアの重み付け係数と、前記複数の測光エリアの測光値とを用いて重み付け演算を行う演算手段と、
前記演算手段により重み付け演算して得られた測光値を用いて露出制御値を決定する露出制御手段と、を有し、前記決定手段は、前記複数の測光エリアのうち、前記複数の焦点検出エリアの少なくとも１つに対応する位置に配置された第１の測光エリアに対して、対応する焦点検出エリアの焦点検出結果を用いて前記重み付け係数を決定し、前記第１の測光エリアで測光値を取得する撮影画面上の第１の領域より上側の領域の測光値を取得する測光エリアよりも、前記第１の領域より下側の領域の測光値を取得する測光エリアを多く含む第２の測光エリアに対して、前記第１の測光エリアの重み付け係数または前記第１の測光エリアに対応する焦点検出エリアの焦点検出結果を用いて前記重み付け係数を決定する。
【手続補正２】
【補正対象書類名】明細書
【補正対象項目名】００２２
【補正方法】変更
【補正の内容】
【００２２】
Ｓ１８では、各測光エリアの重み付け係数を用いて、各測光エリアの測光値に対して重み付け演算を行うことにより、画像全体の測光値を算出する。ステップＳ１６により求めた各測光エリア（ｉ，ｊ）の測光値をｓ（ｉ，ｊ）、Ｓ１７により求めた重み付け係数をｋ（ｉ，ｊ）とすると、測光値Ｅａは、以下の式（１）
【手続補正３】
【補正対象書類名】明細書
【補正対象項目名】００２５
【補正方法】変更
【補正の内容】
【００２５】
＜第１の実施形態＞
図４は、本発明の第１の実施形態における、撮像装置の姿勢が横位置である場合にＳ１７で行われる重み付け係数の決定手順を説明するための図である。
【手続補正４】
【補正対象書類名】明細書
【補正対象項目名】００３５
【補正方法】変更
【補正の内容】
【００３５】
とする。
焦点検出エリア１２ａ〜１２ｈ及び１２ｋに対応する測光領域についても、デフォーカス量に基づいて図７（ａ）の表から重み付け係数を決定する。ただし、デフォーカス量の信頼度が閾値以下の場合には、重み付け係数として、信頼度が閾値より大きい場合の重み付け係数よりも小さい値、例えば１にする。ここでは、焦点検出エリア１２ａ〜１２ｈ及び１２ｋのデフォーカス量が大きいか、信頼度が低いものとし、具体的な数値はここでは挙げないが、図７（ａ）の表などから、重み付け係数が１であるものとする。この場合、焦点検出エリア１２ａ〜１２ｈ及び１２ｋに対応する測光エリア及びその下方向にある２つの測光エリアも、重み付け係数を１とする。また、焦点検出エリア１２ａ〜１２ｈ及び１２ｋ及びその下方向の２つの測光エリア以外（第１及び第２の測光エリア以外）の測光エリア（第３の測光エリア）は、重み付け係数として、上述した重み付け係数以下の値、例えば１とする。
【手続補正５】
【補正対象書類名】明細書
【補正対象項目名】００３８
【補正方法】変更
【補正の内容】
【００３８】
＜第２の実施形態＞
図６は、本発明の第２の実施形態における、撮像装置の姿勢が横位置である場合にＳ１７で行われる重み付け係数の別の決定手順を説明するための図である。
【手続補正６】
【補正対象書類名】特許請求の範囲
【補正対象項目名】全文
【補正方法】変更
【補正の内容】
【特許請求の範囲】
【請求項１】
複数の焦点検出エリアを有し、該複数の焦点検出エリアそれぞれの焦点検出を行う焦点検出手段と、
複数の測光エリアを有し、該複数の測光エリアそれぞれの測光値を検出する測光手段と、
前記複数の測光エリアに対する重み付け係数を決定する決定手段と、
前記決定手段により決定された前記複数の測光エリアの重み付け係数と、前記複数の測光エリアの測光値とを用いて重み付け演算を行う演算手段と、
前記演算手段により重み付け演算して得られた測光値を用いて露出制御値を決定する露出制御手段と、を有し、
前記決定手段は、前記複数の測光エリアのうち、前記複数の焦点検出エリアの少なくとも１つに対応する位置に配置された第１の測光エリアに対して、対応する焦点検出エリアの焦点検出結果を用いて前記重み付け係数を決定し、前記第１の測光エリアで測光値を取得する撮影画面上の第１の領域より上側の領域の測光値を取得する測光エリアよりも、前記第１の領域より下側の領域の測光値を取得する測光エリアを多く含む第２の測光エリアに対して、前記第１の測光エリアの重み付け係数または前記第１の測光エリアに対応する焦点検出エリアの焦点検出結果を用いて前記重み付け係数を決定することを特徴とする撮像装置。
【請求項２】
前記撮像装置の姿勢を検知する姿勢検知手段を更に有し、
前記第２の測光エリアは、前記姿勢検知手段により検知された前記撮像装置の姿勢に基づいて決定されることを特徴とする請求項１に記載の撮像装置。
【請求項３】
前記複数の焦点検出エリアのいずれかに対応する位置に配置された複数の測光エリアの中から前記第１の測光エリアを選択する選択手段を更に有し、
前記決定手段は、前記第１の測光エリアではない前記複数の焦点検出エリアのいずれかに対応する位置に配置された複数の測光エリアの重み付け係数を、前記第１の測光エリアの重み付け係数または前記第１の測光エリアに対応する焦点検出エリアの焦点検出結果を用いて決定することを特徴とする請求項１または２に記載の撮像装置。
【請求項４】
前記決定手段は、前記複数の焦点検出エリアのいずれかに対応する位置に配置された、前記第１の測光エリアではない複数の測光エリアのうち、前記第１の領域より上側の領域の測光値を取得する測光エリアの重み付け係数は、前記第１の測光エリアの重み付け係数または前記第１の測光エリアに対応する焦点検出エリアの焦点検出結果を用いて決定しないことを特徴とする請求項３に記載の撮像装置。
【請求項５】
前記決定手段は、前記複数の焦点検出エリアのいずれかに対応する位置に配置された、前記第１の測光エリアではない複数の測光エリアのうち、前記第１の領域より下側の領域の測光値を取得する測光エリアに対して、前記第１の測光エリアに近い測光エリアよりも前記第１の測光エリアから遠い測光エリアの重み付け係数を小さくすることを特徴とする請求項３に記載の撮像装置。
【請求項６】
前記決定手段は、前記複数の焦点検出エリアのいずれかに対応する位置に配置された、前記第１の測光エリアではない複数の測光エリアのうち、前記第１の領域より下側の領域の測光値を取得する測光エリア及び前記第２の測光エリアを前記第１の測光エリアからの距離に応じて複数のグループに分け、同じグループに属する測光エリアは前記重み付け係数を同じ値にすることを特徴とする請求項３に記載の撮像装置。
【請求項７】
前記決定手段は、前記第２の測光エリアに含まれる測光エリアのうち、前記第１の測光エリアに近い測光エリアよりも前記第１の測光エリアから遠い測光エリアの重み付け係数を小さくすることを特徴とする請求項１乃至６のいずれか１項に記載の撮像装置。
【請求項８】
複数の焦点検出エリアを有し、該複数の焦点検出エリアそれぞれの焦点検出を行う焦点検出手段と、
複数の測光エリアを有し、該複数の測光エリアそれぞれの測光値を検出する測光手段と、
前記複数の測光エリアに対する重み付け係数を決定する決定手段と、
前記決定手段により決定された前記複数の測光エリアの重み付け係数と、前記複数の測光エリアの測光値とを用いて重み付け演算を行う演算手段と、
前記演算手段により重み付け演算して得られた測光値を用いて露出制御値を決定する露出制御手段と、を有し、
前記決定手段は、前記複数の測光エリアのうち、前記複数の焦点検出エリアの少なくとも１つに対応する位置に配置された第１の測光エリアに対して、対応する焦点検出エリアの焦点検出結果を用いて前記重み付け係数を決定し、前記第１の測光エリアで測光値を取得する撮影画面上の第１の領域より上側の領域に属する面積よりも、前記第１の領域より下側の領域に属する面積が大きい第２の測光エリアに対して、前記第１の測光エリアの重み付け係数または前記第１の測光エリアに対応する焦点検出エリアの焦点検出結果を用いて前記重み付け係数を決定することを特徴とする撮像装置。
【請求項９】
複数の焦点検出エリアを有し、該複数の焦点検出エリアそれぞれの焦点検出を行う焦点検出手段と、
複数の測光エリアを有し、該複数の測光エリアそれぞれの測光値を検出する測光手段と、
前記複数の測光エリアに対する重み付け係数を決定する決定手段と、
前記決定手段により決定された前記複数の測光エリアの重み付け係数と、前記複数の測光エリアの測光値とを用いて重み付け演算を行う演算手段と、
前記演算手段により重み付け演算して得られた測光値を用いて露出制御値を決定する露出制御手段と、を有し、
前記決定手段は、前記複数の測光エリアのうち、前記複数の焦点検出エリアの少なくとも１つに対応する位置に配置された第１の測光エリアに対して、対応する焦点検出エリアの焦点検出結果を用いて前記重み付け係数を決定し、前記第１の測光エリアより上側にある測光エリアよりも、前記第１の測光エリアより下側にある測光エリアを多く含む第２の測光エリアに対して、前記第１の測光エリアの重み付け係数または前記第１の測光エリアに対応する焦点検出エリアの焦点検出結果を用いて前記重み付け係数を決定することを特徴とする撮像装置。
【請求項１０】
前記第１の測光エリアより下側の測光エリアとは、前記第１の測光エリアを用いて測光値を取得する撮影画面上の領域より下側の領域の測光値を取得する測光エリアのことを表すことを特徴とする請求項９に記載の撮像装置。
【請求項１１】
複数の焦点検出エリアを有し、該複数の焦点検出エリアそれぞれの焦点検出を行う焦点検出手段と、
複数の測光エリアを有し、該複数の測光エリアそれぞれの測光値を検出する測光手段と、
前記複数の測光エリアに対する重み付け係数を決定する決定手段と、
前記決定手段により決定された前記複数の測光エリアの重み付け係数と、前記複数の測光エリアの測光値とを用いて重み付け演算を行う演算手段と、
前記演算手段により重み付け演算して得られた測光値を用いて露出制御値を決定する露出制御手段と、を有し、
前記決定手段は、前記複数の測光エリアのうち、前記複数の焦点検出エリアの少なくとも１つに対応する位置に配置された第１の測光エリアに対して、対応する焦点検出エリアの焦点検出結果を用いて前記重み付け係数を決定し、前記第１の測光エリアより上側の面積よりも前記第１の測光エリアより下側の面積が大きい第２の測光エリアに対して、前記第１の測光エリアの重み付け係数または前記第１の測光エリアに対応する焦点検出エリアの焦点検出結果を用いて前記重み付け係数を決定することを特徴とする撮像装置。
【請求項１２】
複数の焦点検出エリアを有する焦点検出手段が、該複数の焦点検出エリアそれぞれの焦点検出を行う焦点検出工程と、
複数の測光エリアを有する測光手段が、該複数の測光エリアそれぞれの測光値を検出する測光工程と、
決定手段が、前記複数の測光エリアに対する重み付け係数を決定する決定工程と、
演算手段が、前記決定工程で決定された前記複数の測光エリアの重み付け係数と、前記複数の測光エリアの測光値とを用いて重み付け演算を行う演算工程と、
露出制御手段が、前記演算工程で重み付け演算して得られた測光値を用いて露出制御値を決定する露出制御工程と、を有し、
前記決定工程では、前記複数の測光エリアのうち、前記複数の焦点検出エリアの少なくとも１つに対応する位置に配置された第１の測光エリアに対して、対応する焦点検出エリアの焦点検出結果を用いて前記重み付け係数を決定し、前記第１の測光エリアで測光値を取得する、撮影画面上の第１の領域より上側の領域の測光値を取得する測光エリアよりも、前記第１の領域より下側の領域の測光値を取得する測光エリアを多く含む第２の測光エリアに対して、前記第１の測光エリアの重み付け係数または前記第１の測光エリアに対応する焦点検出エリアの焦点検出結果を用いて前記重み付け係数を決定することを特徴とする露出制御方法。
【請求項１３】
複数の焦点検出エリアを有する焦点検出手段が、該複数の焦点検出エリアそれぞれの焦点検出を行う焦点検出工程と、
複数の測光エリアを有する測光手段が、該複数の測光エリアそれぞれの測光値を検出する測光工程と、
決定手段が、前記複数の測光エリアに対する重み付け係数を決定する決定工程と、
演算手段が、前記決定工程で決定された前記複数の測光エリアの重み付け係数と、前記複数の測光エリアの測光値とを用いて重み付け演算を行う演算工程と、
露出制御手段が、前記演算工程で重み付け演算して得られた測光値を用いて露出制御値を決定する露出制御工程と、を有し、
前記決定工程では、前記複数の測光エリアのうち、前記複数の焦点検出エリアの少なくとも１つに対応する位置に配置された第１の測光エリアに対して、対応する焦点検出エリアの焦点検出結果を用いて前記重み付け係数を決定し、前記第１の測光エリアで測光値を取得する、撮影画面上の第１の領域より上側の領域に属する面積よりも、前記第１の領域より下側の領域に属する面積が大きい第２の測光エリアに対して、前記第１の測光エリアの重み付け係数または前記第１の測光エリアに対応する焦点検出エリアの焦点検出結果を用いて前記重み付け係数を決定することを特徴とする露出制御方法。
【請求項１４】
複数の焦点検出エリアを有する焦点検出手段が、該複数の焦点検出エリアそれぞれの焦点検出を行う焦点検出工程と、
複数の測光エリアを有する測光手段が、該複数の測光エリアそれぞれの測光値を検出する測光工程と、
決定手段が前記複数の測光エリアに対する重み付け係数を決定する決定工程と、
演算手段が、前記決定工程で決定された前記複数の測光エリアの重み付け係数と、前記複数の測光エリアの測光値とを用いて重み付け演算を行う演算工程と、
露出制御手段が、前記演算工程で重み付け演算して得られた測光値を用いて露出制御値を決定する露出制御工程と、を有し、
前記決定工程では、前記複数の測光エリアのうち、前記複数の焦点検出エリアの少なくとも１つに対応する位置に配置された第１の測光エリアに対して、対応する焦点検出エリアの焦点検出結果を用いて前記重み付け係数を決定し、前記第１の測光エリアより上側にある測光エリアよりも前記第１の測光エリアより下側にある測光エリアを多く含む第２の測光エリアに対して、前記第１の測光エリアの重み付け係数または前記第１の測光エリアに対応する焦点検出エリアの焦点検出結果を用いて前記重み付け係数を決定することを特徴とする露出制御方法。
【請求項１５】
複数の焦点検出エリアを有する焦点検出手段が、該複数の焦点検出エリアそれぞれの焦点検出を行う焦点検出工程と、
複数の測光エリアを有する測光手段が、該複数の測光エリアそれぞれの測光値を検出する測光工程と、
決定手段が前記複数の測光エリアに対する重み付け係数を決定する決定工程と、
演算手段が、前記決定工程で決定された前記複数の測光エリアの重み付け係数と、前記複数の測光エリアの測光値とを用いて重み付け演算を行う演算工程と、
露出制御手段が、前記演算工程で重み付け演算して得られた測光値を用いて露出制御値を決定する露出制御工程と、を有し、
前記決定工程では、前記複数の測光エリアのうち、前記複数の焦点検出エリアの少なくとも１つに対応する位置に配置された第１の測光エリアに対して、対応する焦点検出エリアの焦点検出結果を用いて前記重み付け係数を決定し、前記第１の測光エリアより上側の面積よりも前記第１の測光エリアより下側の面積が大きい第２の測光エリアに対して、前記第１の測光エリアの重み付け係数または前記第１の測光エリアに対応する焦点検出エリアの焦点検出結果を用いて前記重み付け係数を決定することを特徴とする露出制御方法。